(57)【特許請求の範囲】
【請求項１】
着用者の頭部を外部の衝撃から保護するためのヘルメット（１）であり、前記ヘルメットが殻部（２）と、少なくとも一対の紐（３）と、取付け手段（７）によって前記殻部（２）に取り付けられた前記紐（３）のそれぞれの一方端部と、装着されたとき、一方の取付け手段（７）から他方まで延び、人のあごの下を通る連続した紐が形成されるように２本の前記紐（３）を一緒に結合するのに適切な結合手段（８）を備えた他方端部とを備えたヘルメット（１）において、
前記結合手段（８）がロック（８Ａ）を備え、
前記紐（３）が少なくとも２０ｇ／ｍｍのＡＳＴＭ  Ｆ１７９０−０５に準拠した切断抵抗性を有しており、
前記紐（３）が内側コアによって補強された管状またはシース織物を含むことを特徴とするヘルメット（１）。
【請求項２】
請求項１に記載のヘルメットにおいて、前記紐（３）が少なくとも４０ｇ／ｍｍのＡＳＴＭ  Ｆ１７９０−０５に準拠した切断抵抗性を有していることを特徴とするヘルメット。
【請求項３】
請求項１または２に記載のヘルメットにおいて、前記紐（３）が、パラアラミド繊維、ＵＨＭｗＰＥ、またはガラス繊維から作製された織物を含むことを特徴とするヘルメット。
【請求項４】
請求項１乃至３の何れか１項に記載のヘルメットにおいて、前記紐（３）の前記織物が、少なくとも３００ｇ／ｍ２の密度を有することを特徴とするヘルメット。
【請求項５】
請求項１乃至４の何れか１項に記載のヘルメットにおいて、前記紐（３）の前記織物が、少なくとも４００ｇ／ｍ２の密度を有することを特徴とするヘルメット。
【請求項６】
請求項１乃至５の何れか１項に記載のヘルメットにおいて、前記紐（３）の前記織物が、少なくとも５００ｇ／ｍ２の密度を有することを特徴とするヘルメット。
【請求項７】
請求項１乃至６の何れか１項に記載のヘルメットにおいて、前記紐の縁部が、（ａ）前記縁部を１または数回折った厚さに縫うこと、（ｂ）前記縁部をかがり縫いで断ち目かがりすること、または（ｃ）炭素、金属、またはアラミドの粒子で充填された可撓性ポリマーを含む補強材料で前記縁部をコーティングすること、の１つまたは組み合わせによって補強されることを特徴とするヘルメット。
【請求項８】
請求項１乃至７の何れか１項に記載のヘルメットにおいて、前記ロック（８Ａ）を、（ａ）鍵穴に挿入される物理的な鍵、（ｂ）アルファベットや数値の組み合わせ、（ｃ）電子信号、および（ｄ）音響または光学信号、の１つまたは組み合わせによって固定解除することができることを特徴とするヘルメット。
【請求項９】
請求項１乃至８の何れか１項に記載のヘルメットにおいて、前記結合手段（８）の固定機能を起動し、それぞれ停止するためのロック起動手段（８Ｂ）をさらに備えることを特徴とするヘルメット。
【請求項１０】
請求項１乃至９の何れか１項に記載のヘルメットにおいて、前記ヘルメットの少なくとも１本の紐（３）を固定するのに適切な分離ロック部品をさらに備え、前記ロック部品は、前記ヘルメットの使用を必要とする付属品に取り付けられるのに適切であり、前記付属品は、自転車、オートバイ、スキー板、スキーのストック、スノーボード、スケートボード、スケート、およびパラグライダーバッグの中から選択されることを特徴とするヘルメット。
【請求項１１】
請求項１に記載のヘルメット（１）のあご紐（３）の、前記ヘルメットを前記ヘルメットの使用を必要とする付属品と一緒に固定するための使用において、前記付属品が、自転車、オートバイ、スキー板、スキーのストック、スノーボード、スケートボード、スケート、およびパラグライダーバッグの中から選択されることを特徴とする使用。
【請求項１２】
請求項１乃至１１の何れか１項に記載のヘルメットが使用されることを特徴とする請求項１１に記載の使用。
【請求項１３】
請求項１１または１２に記載の使用において、前記ヘルメットが、２本の前記紐（３）を一緒に結合して固定することによって前記付属品と一緒に固定され、前記付属品の開口部を通る連続した紐が形成されていることを特徴とする使用。
【請求項１４】
請求項１１または１２に記載の使用において、１本の紐（３）を前記付属品に取り付けられた固定部品に結合して固定することによって、前記ヘルメットが前記付属品と一緒に固定されることを特徴とする使用。
【請求項１５】
請求項１１乃至１４の何れか１項に記載の使用において、前記紐（３）の少なくとも一本を、不動の物体の開口部にさらに通すことを特徴とする使用。
【請求項１６】
（ａ）一対の結合可能なあご紐（３）を備えたヘルメットと、
（ｂ）２つの分離可能なインターロック要素から作製されたロック（８Ａ）であって、各要素が前記ヘルメットの各あご紐（３）と少なくとも同じくらいの長さのつり紐（１３）に結ばれているロック（８Ａ）と、
（ｃ）前記２本のロックつり紐のそれぞれを前記ヘルメットの各紐（３）に永久的に接合するのに適した接合手段（２１）と
を含む部品のキットにおいて、
前記つり紐（１３）が内側コアによって補強された管状またはシース織物を含んでおり、ロックつり紐をヘルメット紐に永久的に固着させることによって得られた複合的な紐が、少なくとも２０ｇ／ｍｍのＡＳＴＭ  Ｆ１７９０−０５に準拠した切断抵抗性を有することを特徴とする部品のキット。
【請求項１７】
請求項１６に記載のキットにおいて、前記複合的な紐が、少なくとも４０ｇ／ｍｍのＡＳＴＭ  Ｆ１７９０−０５に準拠した切断抵抗性を有することを特徴とする部品のキット。
【請求項１８】
請求項１６または１７に記載のキットにおいて、前記接合手段（２１）が接着剤、縫合キット、またはそれらの組み合わせであることを特徴とするキット。
【発明の詳細な説明】
【技術分野】
【０００１】
本発明はヘルメットの分野に関する。詳細には、本発明は、ヘルメットを確実に固定するための、および好ましくはヘルメットを自転車、スノーボード、スケートボード、スキー板またはそれらの類似物などの前記ヘルメットの使用を必要とする付属品に固定するための一体手段を備えたヘルメットに関する。
【背景技術】
【０００２】
例えば軍隊、建設、採掘、および特に飛行（パラグライダー、ハンググライダー）、登山、スケート、およびサイクリングなどのスポーツの分野など、多くの活動は個人の頭部を保護するためにヘルメットを必要とする。全ての場合において、ヘルメットは一般的にあごの下を通る紐によって頭部に保持されるが、紐は個人にぴったり合うように調整が必要であり、一般的にヘルメットから伸び、こめかみ領域を覆いあごまで下がる第１の紐と、多くの場合耳の後ろを起点とし、第１の紐と結合してヘルメットをさらに安定させる第２の紐とを有する。着用されない時、ヘルメットはむしろ持ち運ぶのが面倒な物であり、再び必要になるまで置いておかれることが多い。目を離したままにすると、第三者がそれを掴み盗んで逃げる可能性がある。そのような望ましくない不意の事態を回避するために、ヘルメットを何か固定された構造物に確実に固定することが残念ながら賢明である。この状況は典型的に、乗っている間はヘルメットを着用している自転車のライダーが、目的地に着いた時にヘルメットをどう扱うべきか分からない状態で起きる。同じ問題が他の活動で、特にスキー、スノーボード、スケートおよびそれらの類似したものなどのスポーツにおいて生じる。
【０００３】
多くの固定システムが利用可能であり、特にＵ字ロックおよびＤ字ロック、チェーン、ケーブルロック、ホイールロック、または固定用スキュアーなど、自転車を不動の物体に結合するためのシステムが利用可能である。これらのシステムが自転車を固定することに対する一定の安全性を提供する場合、それらシステムによって自転車をヘルメットと一緒に固定することはできない。なぜなら、ヘルメットは、一般に太すぎてヘルメットの通気開口部を通り抜けることができないこれらの種類のロックのためのグリップ部を備えていないからである。
【０００４】
ヘルメットを自転車または同様の付属品に固定するための多くの固定システムが当技術分野で提案されている。それらの多くは、自転車の一部分に固着され、自転車にヘルメットを固定するための手段を備えた固定部品を利用し、あるものは大多数の自転車ヘルメットに存在する通気開口部を利用し、フィンガ部が設けられ、あるいは同様に前記開口部の１つを通って係合し、他のものはヘルメットに嵌合構造を設けることが必要である。そのような固定システムは、例えば、独国特許第１０２００４０６１３５９号明細書、米国特許第６４１５６３５号明細書、カナダ国特許第２１３２９９６号明細書、独国特許第４２４１２３５号明細書、米国特許第４２７４２７１号明細書、および欧州特許第７２３９０６号明細書に記載されている。これらシステムは、対になる固定部品が自転車に取り付けられていないと機能しないので、同じヘルメットを同じ自転車に使用しなければならないという不便さがある。
【０００５】
この問題を解決するために、他の解決策は、米国特許第３７９８９３４号明細書または米国特許第４６７６０８０号明細書のように、固定構造物あるいは自転車に固定できるケーブルを備える。これらケーブルはヘルメットの通気開口部を通りぬけるのに十分細く、太すぎて前記開口部を通り抜けることができない従来の自転車ロックに挿入されるループが設けられる。これらの解決策は、ヘルメット着用者が、実用的でない余分な付属品を持ち運ぶことを必要とする。
【０００６】
他の固定による解決策は、ヘルメットの構造内に、掛け金またはロックを設けたケーブルを一体化することによって、この後者の問題を解決する。例えば、米国特許第４７６６６１６号明細書および米国特許第５１１７６６２号明細書はそれぞれ、格納位置から出入りできる後退可能な掛け金を備えたヘルメットを開示している。米国特許第３３９９８５５号明細書は、ヘルメットのあご紐を南京錠で固定するのに適した突起を備えたオートバイを開示する。米国特許第５５６４１２９号明細書は、はめ込まれたロックと、ヘルメットに結合された固定端部およびロックによって固定され得る格納可能な端部を有するケーブルと、を備えたヘルメットを開示する。米国特許第３３９９８５５号明細書は、あご紐の一部を、オートバイまたはスクーターあるいはフェンスもしくはレールなどの固定物の一部の周りに通して、ヘルメットを盗難から守るためにロックによって結びつけることができるように構成されたロックを含むヘルメットおよびあご紐を開示する。中国実用新案第２８６７９４５Ｕ号明細書は、ヘルメットに一体化され、ナックル継手を備えた、いくらかさらに面倒なロックシステムを開示する。ヘルメット構造に一体化されたロック手段の存在は、実用的な観点で確かに望ましいが、ヘルメットに新たな要素を追加し、ひいてはその重量およびおそらくは費用を増大し、そしてヘルメットに必ずしも全ての消費者に好まれない妙な外観を与える。
【０００７】
追加の要素を加えず、設計における完全に自由を維持することができる、一体化されたロック手段を備えた新しいヘルメットに対する必要性が確実にある。
【発明の概要】
【０００８】
本発明は添付の独立請求項に定義される。好ましい実施形態が従属請求項に定義される。詳細には本発明は、着用者の頭部を外部の衝撃から保護するためのヘルメットに関し、前記ヘルメットは殻部と、少なくとも一対の紐と、取付け手段によって殻部に取り付けられた前記紐のそれぞれの一方端部と、装着されたとき、一方の取付け手段から他方まで延び、人のあごの下を通る連続した紐が形成されるように２つの紐を一緒に結合するのに適切な結合手段を備えた他方端部とを備え、ここで、
・結合手段がロックを備え、
・紐が少なくとも２０ｇ／ｍｍの、好ましくは少なくとも４０ｇ／ｍｍのＡＳＴＭ  Ｆ１７９０−０５に準拠した切断抵抗性を有する。
【０００９】
紐は好ましくはパラアラミド繊維、ＵＨＭｗＰＥ、またはガラス繊維から作製された織物を含む。紐の織物は、少なくとも３００ｇ／ｍ２、好ましくは少なくとも４００ｇ／ｍ２、より好ましくは少なくとも５００ｇ／ｍ２の密度を有し得る。また紐はコア／シース構造を有し得る。紐の縁部は好ましくは、（ａ）縁部を１または数回折った厚さに縫うこと、（ｂ）縁部をかがり縫いで断ち目かがりすること、または（ｃ）例えば炭素、金属、またはアラミドの粒子で充填された可撓性ポリマーを含む補強材料で縁部をコーティングすること、の１つまたは組み合わせによって補強される。
【００１０】
結合手段（８）の固定は、（ａ）鍵穴に挿入される物理的な鍵、（ｂ）アルファベットや数値の組み合わせ、（ｃ）電子信号、および（ｄ）音響または光学信号、の１つまたは組み合わせによって固定解除されてもよい。結合手段の偶発的な固定を回避することは、結合手段が好ましくはさらに、結合手段の固定機能を起動し、それぞれ停止するロック起動手段を備えることを意味する。
【００１１】
ヘルメットの少なくとも１本の紐（３）を固定するのに適切な分離ロック部品が、自転車、オートバイ、スキー板、スキーのストック、スノーボード、スケートボード、スケート、およびパラグライダーバッグなどの前記ヘルメットの使用を必要とする付属品に取り付けられると有利であり得る。
【００１２】
本発明はまた、前記ヘルメットを前記ヘルメットの使用を必要とする付属品と一緒に固定するためのヘルメットのあご紐の使用に関し、前記付属品は、自転車、オートバイ、スキー板、スキーのストック、スノーボード、スケートボード、スケート、およびパラグライダーバッグの中から選択される。上で定義されたヘルメットを使用することは好ましい。ヘルメットは、２本の紐を一緒に結合して固定することによって前記付属品と一緒に固定されてもよく、前記付属品の開口部を通る連続した紐が形成される。あるいは、１本の紐が、前記付属品に取り付けられた固定部品に結合され固定されてもよい。紐の少なくとも１本を、不動の物体の開口にさらに通すとより安全である。
【００１３】
例えばナイロンで作製された標準的なあご紐を備えた従来のヘルメットは、
（ａ）一対の結合可能なあご紐（例えばナイロン製）を備えたヘルメット、
（ｂ）２つの分離可能なインターロック要素から作製されたロックであって、各要素がヘルメットの各あご紐と少なくとも同じくらいの長さのつり紐に結ばれているロック、
（ｃ）２本のロックつり紐のそれぞれをヘルメットの各紐に永久的に接合するのに適した接合手段、
を含み、ロックつり紐をヘルメット紐に永久的に固着させることによって得られた複合的な紐が、少なくとも２０ｇ／ｍｍの、好ましくは少なくとも４０ｇ／ｍｍのＡＳＴＭ  Ｆ１７９０−０５に準拠した切断抵抗性を有することを特徴とする部品キットを使用することによって本発明によるヘルメットに簡単に変換することができる。
【００１４】
ロックつり紐は、複合的な紐に必要な切断抵抗性を提供するために、パラアラミド、ＵＨＭｗＰＥ、またはガラスの繊維などの丈夫な材料から好ましくは作製される。つり紐は、接着剤を使用することにより、または一緒に縫合することによってヘルメットのあご紐に接合されてもよい。言うまでもないが、接着剤と縫合とを組み合わせることで、より頑丈になる。つり紐は紐の一面に接合されてラミネートを形成してもよく、あるいは両面に接合されてサンドイッチ構造を形成してもよい。あるいはつり紐は各紐を包み込むのに十分な幅で、従ってナイロン紐の周りにシースを形成してもよい。
【００１５】
本発明の特性のより完全な理解のため、添付図面と併せて以下の詳細な説明を参照する。
【図面の簡単な説明】
【００１６】
【図１】図１は、本発明によるヘルメットを示す。
【図２】図２は、従来のヘルメットをどのように本発明によるヘルメットに変換できるかについて３つの実施形態を示す。
【発明を実施するための形態】
【００１７】
本発明は、ヘルメットを確実に固定する手段を備えたヘルメット（１）に関する。図１は自転車用ヘルメットを示すが、本発明は、着用者のあごの下で２本の紐を一緒に結合するための結合手段（８）を備えた一対のあご紐（３）を備えた任意の種類のヘルメット（１）に関する。特に本発明は、サイクリング、スキー、スノーボート、スケートボード、スケート、パラグライダー、ハンググライダーおよびそれらに類似したものなどのスポーツ活動用ヘルメットに関する。本発明はまた、軍隊、消防署、建設会社等によって実行される専門的な活動用のヘルメットにも関係し得る。本発明は、ヘルメットを別の物体、好ましくは不動の物体、または人目につかないように移動させることが困難な、少なくともよりボリュームのある物体、あるいはより重い物体に確実に固定するための一体手段を備えたヘルメットを提供する。ヘルメットに一体化された追加の掛け金またはケーブルを提供する解決策とは対照的に、本発明は、固定機能がヘルメット（１）のあご紐（３）に付加される以外は、ヘルメットに追加の構成要素をいっさい必要としない。
【００１８】
ヘルメットは一対の紐（３）によって頭に保持されるが、一対の紐（３）は着用者個人にぴったり合うように、あごの下で一緒に結合されて調整されなければならない。このため、固着手段（７）によってヘルメットに固着され、そしてあごの下を通る紐（３）を指すための用語「あご紐」が、本明細書中で使用されることもある。あご紐（３）には、一緒に結合されたときに紐の長さを調整する調整手段（６）が一般的に備え付けられる。大まかに言えば、紐と喉の間に２本以上の指の厚みを挿入することは不可能なはずである。２本の紐を一緒に結合するための結合手段（８）は、ヘルメットが設計される活動分野において予期される衝撃に耐えるのに十分に頑丈であるべきであり、同時に結合および切り離しが容易であるべきである。それらは革または高分子バンドから作製され得るが、あご紐（３）はほとんどの場合、織られた、編組みされた、またはさらには編まれている、ポリアミド（ナイロン）、ポリプロピレン、またはさらには高品質ヘルメット用のポリアラミド（例えばＫｅｖｌａｒ）、などの紡織繊維から作製される。結合手段（８）と同様に、紐（３）は、衝撃の際に、ヘルメットを適所に維持するよう、十分な耐性があるべきである。
【００１９】
本発明は、使用しないとき、柱またはフェンスなどの他の物体にヘルメットを確実に固定するための追加の固定機能を備えた、あご紐（３）を提供する。これは、切断抵抗性紐（３）とロック（８Ａ）を有する結合手段（８）とを使用することによって達成される。鍵によってのみ開けることができる閉鎖装置を指すための用語「ロック」が、本明細書中で使用される。鍵は物理的な鍵、アルファベットや数値の組み合わせ、電子信号、音響または光学信号およびそれらの類似物であってもよい。表現「確実に固定する」は本明細書中、いったん固定されると、第三者はロックをこじ開ける特別な用具または特別な能力がなければヘルメットを持ち去ることができない、ということを意味する。盗難防止のロックは存在しない。英国では、Ｓｏｌｄ  Ｓｅｃｕｒｅの証明書つきの自転車用ロックが販売されており、その証明書は各種工具による１、３および５分の攻撃抵抗性に対応して、銅、銀または金という格付けがなされている。（ｈｔｔｐ：／／ｅｎ．ｗｉｋｉｐｅｄｉａ．ｏｒｇ／ｗｉｋｉ／Ｂｉｃｙｃｌｅ＿ｌｏｃｋを参照）。これは、市販されているいずれの種類のロックも、十分な用具を備えた熟練の窃盗犯がによって開けられることを防止することはできないということを示している。ロックの使用は、悪意はあるが用具に乏しい通りすがりの人物（すなわち、ナイフ、ハサミ、プライヤーまたはそれらの類似物のみを備える）が、柱または他の特徴物に固定された物体を盗むことを防止することができるためのものである。標準的なハサミまたはペンナイフで切断できるので、大多数のヘルメットで見られる従来のナイロン製の紐では、ヘルメットを確実に固定することは不可能であろうことは明らかである。このため、本発明のヘルメットの紐（３）は、ＡＳＴＭ  Ｆ１７９０−０５に準拠して測定された、少なくとも２０ｇ／ｍｍの切断抵抗性を有さなければならない。好ましくは、紐（３）は、少なくとも４０ｇ／ｍｍ、より好ましくは少なくとも７５ｇ／ｍｍ、少なくとも１００ｇ／ｍｍまたは少なくとも１２０ｇ／ｍｍ、最も好ましくは少なくとも１４０ｇ／ｍｍの切断抵抗性を有する。紐の切断抵抗性が高くなるほど、窃盗に対するより高い安全性レベルを得ることができる。
【００２０】
本発明のヘルメット用あご紐（３）は、ナイロン紐（３）と同じくらい快適で、同時に切断抵抗性が高くなければならない。これは様々な方法で達成可能である。コア／シェル構造を使用可能であり、それは例えばナイロンから作製された従来のシース織物と、金属片または織物あるいはその他の良く知られた丈夫な材料などの切断抵抗性コアとを備える。この解決策は、紐の切断抵抗性をかなり高めるが、例えば大抵のスポーツなどの、重量が問題となるヘルメットには適さない。代わりの解決策は、従来の紐のナイロン繊維を丈夫な繊維に換えること、および／または編目の密度を上げることである。詳細には、パラアラミド（例えばＫｅｖｌａｒ（登録商標）、Ｔｗａｒｏｎ（登録商標））、ＵＨＭｗＰＥ（例えばＤｙｎｅｅｍａ（登録商標））、ガラス繊維などの繊維が、それらが極めて頑丈かつ丈夫であるため、切断抵抗性のある手袋を作製するために、一般的には使用される。普通のハサミまたはナイフには負けないであろう、これら材料から作製された織物を切断するためには、特別な裁断機が必要とされる。そのような織物を切断するために設計された裁断機の例は、ｈｔｔｐ：／／ｊａｅｂｅｒｌｙ．ｃｏｍ／ｉｄ７．ｈｔｍｌで見出すことができる。
【００２１】
Ｋｅｖｌａｒ（登録商標）で作製された紐を備えたヘルメットは市販されている（ｈｔｔｐ：／／ｗｗｗ．ｓｐｏｋｅ．ｉｅ／２０１０／０３／ｏｎ−ｔｅｓｔ−ｍｅｔ−ｈｅｌｍｅｔｓ／を参照）が、そのような紐は固定システムの切断抵抗要件に必ずしも適合しない。何故なら紐の切断抵抗性は編目密度にも依存するからである。粗い編物は密に編組みされた紐よりも切断が簡単であることは明白である。例えば、パラアラミド繊維（Ｋｅｖｌａｒ（登録商標））製の６８０ｇ／ｍ２の編物から作製された紐は、約５０ｇ／ｍｍ（ＡＳＴＭ  Ｆ１７９０−０５）の切断抵抗性を有する。大まかに言えば、パラアラミド繊維から作製された紐は、少なくとも４００ｇ／ｍ２、好ましくは少なくとも５００ｇ／ｍ２の密度を好ましくは有するべきである。おおよそ少なくとも３００ｇ／ｍ２のより低い織物密度がＵＨＭｗＰＥに関して使用可能である。その理由は、その繊維自体がパラアラミド繊維より低い密度を有するからである。
【００２２】
紐（３）の切断抵抗性は、その縁部を強化することによってさらに高めることができる。例えば、均一な密度の紐を備える代わりに、例えば縁部を１または数回折った厚さに縫うことによって、および／または縁部をかがり縫いで断ち目かがりすることによって、縁部をより高い繊維濃度で強化してもよい。あるいは、炭素、金属、アラミドおよびそれらの類似物の粒子で充填された可撓性ポリマーなどの強化材料で、縁部を被覆してもよい。
【００２３】
紐（３）の結合手段（８）には、使用しないときにヘルメットを盗まれないよう守るために固定手段（８Ａ）を設けなければならない。上で定義したように、固定手段（８Ａ）は、鍵穴に挿入される物理的な鍵、アルファベットや数値の組み合わせ、電子信号、音響信号またはバーコードのような光学信号などの任意の種類の鍵で固定解除されてもよい。着用者のあごの下に配置されたアルファベット−数値式のロックを固定解除しようとすることは大変に不快であろうから、ヘルメットが着用されているときに偶発的に結合手段が固定されることは是が非でも回避されるべきであることは明らかである。これは、結合手段（８）の固定機能を起動するための起動手段（８Ｂ）を設けることによって、非常に簡単に回避することができる。例えば、そのようなロック起動手段（８Ｂ）は、オン／オフ位置を有するスイッチから構成されてもよく、または、例えば結合手段の両側に、着用者の肌に向く面およびそれから外方に向く面に配置された、紐を結合している間に同時に押される一対のボタンから構成されてもよい。あるいは、結合手段の何らかの特徴を押すと同時に回転させる二重の動きは、紐のいかなる偶発的な固定も効果的に防止しながら、依然として必要な時には固定することが簡単であろう。
【００２４】
本発明のヘルメット（１）の固定手段（８Ａ）は、２本の紐（３）を一緒に固定するのに適切であるべきである。それらはまた、ヘルメットの１本の紐（３）を、自転車、オートバイ、スキー板、スキーのストック、スノーボード、スケートボード、スケートまたはパラグライダーバッグなどの前記ヘルメットの使用を必要とする付属品に取り付けられた相手方固定器具に固定するのに適切であってもよい。ヘルメットと付属品は従って、自転車の車輪の２本のスポークの間、または金網フェンスなど、小さすぎてヘルメットも付属品も通り抜けできない開口に１本の紐を通すことによって、一緒に固定することができる。
【００２５】
場合によっては、着用者は新しいヘルメットを購入することを渋ることもあり得る。ヘルメットを確実に固定するのに適切でない、例えばナイロン（ＰＡ６）製の標準的なあご紐（３）および結合手段（８）を備えた従来のヘルメットを、本発明による確実に固定するヘルメットに変換することが可能である。２つのインターロック要素に分離可能でありかつつり紐（１３）を備えた、上で考察したようなロック（８Ａ）を接合手段（２１）と一緒に使用して従来のヘルメットの紐を補強することができる。ロック（８Ａ）は、使用するときはあごの下であご紐を快適かつ容易に結合しかつ外すのに適切であり、また使用しないときはヘルメットを確実に固定するのに適切であるべきである。図２に示されるように、本発明の現在の態様の３つの異なる実施形態で、ヘルメット紐（３）に取り付けられた結合手段（８）は、実施されるべきである。つり紐（１３）は、例えば、本発明の他の実施形態で上述した通り、繊維、例えばパラアミド、ＵＨＭＷＰＥ、ガラスなどの切断抵抗性材料で作製される。ロック（８Ａ）のインターロック要素が、永久的に、例えばステッチによって、または単につり紐（１３）を固定要素（８Ａ）の溝穴の中に延在させることによって、つり紐（１３）に結ばれる。好ましくは、少なくとも１本のつり紐が、その長さを調節できるように、しかし取り外しできないように、固定要素に結ばれる。つり紐（１３）は、ナイロン紐とつり紐の一体性を損なうことなく永久的な接合を形成させる任意の公知の手段によってナイロン紐（３）に接合されてもよい。接合手段として接着剤（２１）を使用することは好ましい。多くの接着剤によって、２つの織物間の確実な接合を非常に簡単に、場合により熱および／または圧力を接合される表面に適用することによって、得ることが可能になる。あるいはまたはさらに、２つの織物を、適切な場所でステッチ（２１）によって１つに縫合してもよい。そのように得られた複合的な紐は切断抵抗性でなくてはならず、ＡＳＴＭ  Ｆ１７９０−０５に準拠する少なくとも２０ｇ／ｍｍ、好ましくは少なくとも４０ｇ／ｍｍ、より好ましくは少なくとも７５ｇ／ｍｍ、少なくとも１００ｇ／ｍｍまたは少なくとも１２０ｇ／ｍｍおよび最も好ましくは少なくとも１４０ｇ／ｍｍの切断抵抗性を有しなくてはならない。紐の切断抵抗性が上がるにつれて、盗難に対するより高い安全性のレベルを得ることができる。好ましくはつり紐は、ヘルメットに対する固着点（７）までナイロン紐（３）の全長を覆うべきであり、あるいは標準的なハサミまたはナイフで切断することが簡単なナイロン紐の部分に接触できないようにするため、少なくともナイフで簡単に接触可能なその長さ全体にわたり覆うべきである。図２（ａ）で示されるように、つり紐（１３）は紐（３）に単にラミネートされて、２層ラミネートを形成してもよく、任意選択的にその間に接着剤の層があってもよい。つり紐をロック（８Ａ）の溝穴に通して２つのつり紐端部を作り出すことによって、およびそのように得られた２つのつり紐端部でナイロン紐（３）を挟むことによって、図２（ｂ）で示されるようなナイロン紐（３）が２つの補強つり紐層（１３）間に挟まれた３層ラミネート紐を得るこ���ができる。ここでもまた、つり紐端部をナイロン紐（３）に接着および／または縫い付けることができる。つり紐はまた、図２（ｃ）で示されるようにナイロン紐の周りにシースを形成するために、ナイロン紐（３）を包み込むのに十分な幅としてもよい。
【００２６】
上で考察したように、従来のヘルメットの安全でない固定手段（８）をロック（８Ａ）で置き換えることによって、およびあご紐を切断抵抗性のつり紐で補強することによって、確実に固定されるのに適したヘルメットを付与することができる。必要なのは、
（ａ）結合可能な一対のあご紐（３）を備えたヘルメット；
（ｂ）２つの分離可能なインターロック要素から作製されたロック（８Ａ）であって、各要素は、少なくともヘルメットの各あご紐（３）と同じくらいの長さのつり紐（１３）に結ばれているロック（８Ａ）；
（ｃ）２本のロックつり紐（１３）の各々を、ヘルメットの各紐（３）に、その長さ全体にわたって永久的に接合するのに適した、接合要素（２１）、
だけであり、ここで、ロックつり紐をヘルメット紐に永久的に固着させることによって得られる複合的な紐は、ＡＳＴＭ  Ｆ１７９０−０５に準拠した少なくとも２０ｇ／ｍｍ、好ましくは少なくとも４０ｇ／ｍｍの切断抵抗性を有する。
【図１】
0005951611.tif 000002
【図２（ａ）】
0005951611.tif 000003
【図２（ｂ）】
0005951611.tif 000004
【図２（ｃ）】
0005951611.tif 000005